(57)【特許請求の範囲】
【請求項１】
回転軸の変位量を検出する検出器を、上記回転軸に対面した取付架台に固定するようにした検出器の取付構造において、上記検出器と上記取付架台との間に検出器脱着・位置調整用治具を上記取付架台の貫通穴に挿通して介在させると共に、この治具の内部ネジ部に検出器を螺貫し、上記検出器をロックナットにより上記治具に固定し、また上記治具を別のロックナットにより上記取付架台に固定したことを特徴とする検出器の取付構造。
【請求項２】
検出器と検出器脱着・位置調整用治具を固定するための可動式ロック治具を、上記検出器脱着・位置調整用治具に螺合して上記検出器と一体に構成したことを特徴とする請求項１記載の検出器の取付構造。
【請求項３】
回転軸の変位量を検出する検出器を、上記回転軸に対面した取付架台に固定するようにした検出器の取付構造において、上記取付架台の貫通穴に挿通され、外周にネジ部を有する検出器に、検出器脱着・位置調整用ナットを螺合させると共に、上記検出器の下部側面部に突出部を設け、ロックナットにより上記検出器を上記取付架台に固定したことを特徴とする検出器の取付構造。
【発明の詳細な説明】
【０００１】
【発明の属する技術分野】
この発明は、回転軸の物理的変位量を検出するための検出器の取付構造に係るもので、特に検出器の回転ネジ込みによって生じるケーブルのねじれのためにコネクタ部にゆるみが生じることを防止することのできる検出器の取付構造に関するものである。
【０００２】
【従来の技術】
図４は従来の検出器の取付構造を示す模式図であり、図において、検出器２１は、回転軸２２に対面した取付架台２３に対し垂直方向に固定されている。取付架台２３にはその一部にネジ穴加工が施されており、そのネジ穴２３ａに検出器２１の外周に切られたネジ２１ａをネジ込むことにより脱着並びに位置調整を行うようになっている。ロックナット２４は検出器２１と取付架台２３を固定している。検出器２１で検出した信号を送出するケーブル２５は検出器２１に固定されていて脱着不可能となっている。延長ケーブル２６は物理的変位量を電気信号に変換するための変換器２７に接続されており、ケーブル２５と延長ケーブル２６の中間部にはコネクタ２８が設けられていて、検出器２１取付時のネジ込みによるケーブル２５，２６のねじれを低減させている。シール材２９は絶縁を可能にすると共に、内部（検出器２１側）と外部（変換器２７側）を封止し、又、検出器２１側は油雰囲気であるため、ケーシング３０によりカバーリングしている。
【０００３】
次に動作について説明する。検出器２１は、取付架台２３側のネジ穴２３ａと検出器２１側のネジ部２１ａのかみ合いにより保持される。次いで、ケーブル２５と延長ケーブル２６をコネクタ２８により接続し、さらに延長ケーブル２６を変換器２７に接続する。検出器２１と回転軸２２との距離を、変換器２７からの電気信号によって確認しながら検出器２１を螺回し、所定の値に設定した後、検出器２１をロックナット２４により固定する。
【０００４】
上述したように構成された図４に示す従来の検出器の取付構造では、検出器２１側を螺回し、ロックナット２４により固定しているので、ケーブル２５がねじれ、その反発力によりコネクタ２８がゆるみ、ケーブル２５と延長ケーブル２６が検出器２１により検出した物理的変位量を正確に変換器２７へ供給することができなくなる。
また、検出器２１を取付架台２３から取り外したり、取り付けたり、あるいは検出器２１と回転軸２２との距離を再調整するような場合に、その都度シール材２９及びコネクタ２８の接続を外す必要があるなどの問題点があった。
【０００５】
【発明が解決しようとする課題】
従来の検出器の取付構造は以上のように構成されているので、検出器２１を螺回し、ロックナット２４により固定した場合、ケーブル２５がねじれ、その反発力によりコネクタ２８がゆるみ、ケーブル２５と延長ケーブル２６が接触不良を起こし、検出器２１により検出した物理的変位量を正確に変換器２７へ供給することができなくなるという問題点があった。
また、検出器２１を取付架台２３から取り外したり、取り付けたり、あるいは検出器２１と回転軸２２との距離を再調整するような場合に、その都度シール材２９及びコネクタ２８の接続を外す必要があるなどの問題点があった。
【０００６】
この発明は上記のような問題点を解消するためになされたものであり、検出器の取付架台への取り付け、取り外し、あるいは回転軸との距離調整を行う場合に、検出器を回転させずにネジ止めを行うことにより、ケーブルのねじれ、コネクタのゆるみを無くすることができる検出器の取付構造を得ることを目的としており、常にケーブル、コネクタへ負荷をかけないような検出器の取付構造を提供することを目的としている。
【０００７】
【課題を解決するための手段】
この発明の請求項１に係る検出器の取付構造は、検出器と取付架台との間に検出器脱着・位置調整用治具を介在させると共に、この治具の内部ネジ部と検出器のネジ部をかみ合わせ、ロックナットにより検出器、取付架台、治具を固定したものである。
【０００８】
この発明の請求項２に係る検出器の取付構造は、検出器と検出器脱着・位置調整用治具を固定するための可動式のロック治具を検出器と一体に構成したものである。
【０００９】
この発明の請求項３に係る検出器の取付構造は、検出器に検出器脱着・位置調整用のナットを設けると共に、検出器の下部側面部に突出部を設け、ロックナットにより検出器並びに取付架台を固定したものである。
【００１０】
【発明の実施の形態】
実施の形態１．
以下、この発明の一実施形態を図に基づいて説明する。図１は、この発明の実施の形態１による検出器の取付構造を示す模式図であり、図において、外周にネジ１ａが切られた検出器１は、回転軸２に対面した取付架台３に対し、検出器脱着・位置調整用治具４を介して垂直方向に固定されている。即ちつば部４ａを有する筒状の治具４の内部ネジ部４ｂが検出器１側のネジ部１ａとかみ合うことにより、治具４は保持されており、更に治具４は取付架台３側の貫通穴部３ａに通して、検出器脱着・位置調整用治具４の外周に切られたねじ部４ｃにかみ合う治具用ロックナット５により取付架台３に固定されており、更に検出器１と検出器脱着・位置調整用治具４をロックナット６によって固定している。従って、検出器１は、治具用ロックナット５とロックナット６によって回転軸２と所要の設定距離を保って固定されている。
【００１１】
なお、検出器１で検出した信号を送出するケーブル７は、検出器１に固定されていて脱着不可能であり、延長ケーブル８は、物理的変位量を電気信号に変換するための変換器９に接続されている。更にケーブル７，８の中間部にはコネクタ１０が設けられており、ケーブル７，８のねじれを低減させている。シール材１１は絶縁を可能にすると共に、内部（検出器１側）と外部（変換器９側）を封止し、又、検出器１側は油雰囲気であるため、ケーシング１２によりカバーリングしてる。
【００１２】
次に動作について説明する。検出器１は、検出器脱着・位置調整用治具４側のネジ部と検出器１側のネジ部のかみ合いにより保持されている。検出器脱着・位置調整用治具４を下部つば部４ａを用いて螺回することにより、検出器１そのものを回転させることなく、回転軸２に対し、垂直方向に移動させることができる。例えば、検出器脱着・位置調整用治具４の下部を右方向へ回転させれば、検出器１は回転軸２へ近づく方向に垂直移動し、検出器脱着・位置調整用治具４の下部を左方向へ回転させれば、検出器１は回転軸２から遠ざかる方向に垂直移動する。
【００１３】
これにより、検出器１と回転軸２との距離を所定の値に設定した後、検出器１を治具用ロックナット５とロックナット６にて固定する。ここで、ロックナット６による検出器１の固定強度は、検出器脱着・位置調整用治具４の材厚に依存するため、検出器１がゆるまないように固定するためには、検出器脱着・位置調整用治具４の材厚以上の厚みがロックナット６に必要となる。またロックナット６を複数個設けることにより、検出器１の固定強度を増してもよい。このようにロックナット６を設けることにより、回転体の振動等によるゆるみを防止することができる。又、検出器脱着・位置調整用治具４を取付架台３側の貫通穴部に通すだけであるので、ネジ加工が不要となる。
【００１４】
上記のように、取付架台３への検出器１の脱着、位置調整を専用治具、ナットにより行なうように構成したので、検出器１そのものを回転させることなく脱着、位置調整を行なうことができ、ケーブル７，８のねじれによる損傷、コネクタ１０のゆるみを防止することができる。
【００１５】
実施の形態２．
図２は、この発明の実施の形態２による検出器の取付構造の取付部分を示す断面図である。図において、ロックナット６を除いて、その他の検出器１、回転軸２等の構造は実施の形態１と同様である。
本実施形態においては、検出器１の上部にロックナット６の代わりに可動式のキャップ形ロック治具１３が取り付けてある。この可動式のロック治具１３は、検出器１と検出器脱着・位置調整用治具４を固定するためのものであり、その内部ネジ部１３ａは検出器脱着・位置調整用治具４側のネジ部４ｃとのかみ合いにより固定されている。従って、検出器１は、治具用ロックナット５と可動式のロック治具１３により固定されている。
【００１６】
次に動作について説明する。検出器脱着・位置調整用治具４を下部にて螺回することにより、検出器１そのものを回転させることなく、回転軸２に対し、垂直方向に移動させることができるのは、上記実施の形態１において説明したものと同様である。本実施形態においては、検出器１と回転軸２との距離を所定の値に設定した後は、検出器１を治具用ロックナット５と可動式のロック治具１３にて固定するものである。
このように実施の形態１におけるロックナット６の代わりに可動式のロック治具１３を用いることにより、可動式のロック治具１３は検出器１と一体化されているため、可動式のロック治具１３の脱落を防止することができる。
【００１７】
実施の形態３．
図３は、この発明の実施の形態３による検出器の取付構造の取付部分を示す断面図である。図において、回転軸２、取付架台３の構造は上記実施の形態と同様である。ナット１４は、検出器１５を脱着・位置調整するためのものであり、検出器１５の外周ネジ部１５ｂの下部に螺合されており、該検出器１５は取付架台３の貫通穴３ａに挿通されている。また検出器１５には、検出器脱着・位置調整用ナット１４の脱落を防止するため、ネジ部１５ｂの径に比べて、先端部の径が大きくなっている突出部１５ａが設けられている。そしてこの検出器１５は、従来例と同様に上方からのロックナット１６のみで固定されている。
【００１８】
次に動作について説明する。検出器１５は、検出器脱着・位置調整用ナット１４を螺回することにより、検出器１５そのものを回転させることなく、回転軸２に対し、垂直方向に移動させることができる。動作的には上記実施形態において説明したものと同様であるが、検出器１５と回転軸２との距離を所定の値に設定した後、検出器１５はロックナット１６のみで固定される。
更に、検出器１５には、ネジ部１５ｂの径に比べて先端部の径が大きくなっている突出部１５ａが設けられているので、検出器脱着・位置調整用ナット１４の脱落を防止することができる。
【００１９】
【発明の効果】
この発明の請求項１に係る検出器の取付構造によれば、検出器と取付架台との間に検出器脱着・位置調整用治具を介在させると共に、この治具の内部ネジ部と検出器のネジ部をかみ合わせ、ロックナットにより検出器、取付架台、治具を固定したので、検出器そのものを回転させることなく、脱着、位置調整を行なうことができ、ケーブルのねじれによる損傷、コネクタのゆるみを防止することができる。
【００２０】
この発明の請求項２に係る検出器の取付構造によれば、検出器と検出器脱着・位置調整用治具を固定するための可動式のロック治具を検出器と一体に構成したので、可動式のロック治具の脱落を防止することができる。
【００２１】
この発明の請求項３に係る検出器の取付構造によれば、検出器に検出器脱着・位置調整用のナットを設けると共に、検出器の下部側面部に突出部を設け、ロックナットにより検出器並びに取付架台を固定したので、検出器そのものを回転させることなく、脱着、位置調整を行なうことができ、ケーブルのねじれによる損傷、コネクタのゆるみを防止することができ、更に検出器脱着・位置調整用ナットの脱落を防止することができる。
【図面の簡単な説明】
【図１】この発明の実施の形態１による検出器の取付構造を示す模式図である。
【図２】この発明の実施の形態２による検出器の取付構造の取付部分を示す断面図である。
【図３】この発明の実施の形態３による検出器の取付構造の取付部分を示す断面図である。
【図４】従来の検出器の取付構造を示す模式図である。
【符号の説明】
１，１５  検出器、２  回転軸、３  取付架台、４  検出器脱着・位置調整用治具、５，６，１６  ロックナット、１３  可動式のロック治具、１４  検出器脱着・位置調整用のナット、１５ａ  突出部。
【図１】
0003630261.tif 000002
【図２】
0003630261.tif 000003
【図３】
0003630261.tif 000004